(57)【要約】  ユーザ装置、方法、非一時的なコンピュータ可読記憶媒体、ユーザ装置を会議システムに接続するシステムが提供される。本発明の実施形態によれば、会議ダイヤラアプリケーションは、カレンダアプリケーションからの会合通知を受け取り、会合通知は、会議システムでホストされる会合を記述し、かつ会議システムにアクセスするために使用される少なくとも１つの会議アクセスコードを含む。会議ダイヤラアプリケーションは、音声入力をするようにユーザを促す。会議ダイヤラアプリケーションは、会議システムの会合に参加することをユーザ装置に示す第１の音声入力をユーザから受け取る。会議ダイヤラアプリケーションは、会合に参加するために、第１の音声入力に応じて、少なくとも１つの会議アクセスコードを自動的に供給する。最後に、会議ダイヤラアプリケーションは、電話ダイヤラアプリケーションを介して、ユーザ装置を会議システムの会合に接続する。【選択図】  図５Ａ
2016503634.tif 000002
【特許請求の範囲】
【請求項１】
ユーザ装置（ＵＥ）（１０２）であって、
少なくとも１つのプロセッサ（２０２ａ〜２０２ｎ）と、
前記少なくとも１つのプロセッサに結合される非一時的なコンピュータ可読記憶媒体（２０６）とを備え、
前記非一時的なコンピュータ可読記憶媒体が、前記少なくとも１つのプロセッサにより実行されたとき、
会議システム（１１６）でホストされる会合（３３２）を記述し、かつ
前記会議システムにアクセスするために使用される少なくとも１つの会議アクセスコードを含む
会合通知をカレンダアプリケーションから受け取り（５０２）、
前記会合通知に応じて音声入力をするように前記ユーザを促し（５０４）、
前記会議システムの前記会合に参加することを前記ＵＥに示す第１の音声入力を前記ユーザから受け取り（５０６）、
前記会合に参加するために、前記第１の音声入力に応じて、前記会合通知からの前記少なくとも１つの会議アクセスコードを前記会議システムに自動的に供給し（５０８）、および
前記会議システムの前記会合に接続する（５０９）
ように構成されたコンピュータ可読命令をさらに含む、ユーザ装置（ＵＥ）（１０２）。
【請求項２】
前記コンピュータ可読命令が、前記少なくとも１つのプロセッサにより実行されたとき、
前記ＵＥがサイレントモードに設定されているかどうかを判定し（５１２）、
前記ＵＥが前記サイレントモードに設定されているとの判定に応じて、前記会合通知に応じてサイレント入力をするようにユーザを促すユーザインターフェースを表示し（５１４）、
前記ユーザインターフェースを介して、前記会議システムの会合に参加することを前記ＵＥに示す第１のサイレント入力を前記ユーザから受け取り（５１６）、および
前記会合に参加するために、前記第１のサイレント入力に応じて、前記少なくとも１つの会議アクセスコードを前記会議システムに自動的に供給する（５１８）
ようにさらに構成される、請求項１に記載のＵＥ。
【請求項３】
前記コンピュータ可読命令が、前記少なくとも１つのプロセッサにより実行されたとき、
第２の音声入力に応じて、ユーザが要求する連絡先との３者間会議および前記会議システムに接続する（５２４）
ようにさらに構成される、請求項１に記載のＵＥ。
【請求項４】
前記コンピュータ可読命令が、前記少なくとも１つのプロセッサにより実行されたとき、
第３の音声入力に応じて、前記会合通知を少なくとも１つのユーザが要求する連絡先に転送する（５３０）
ようにさらに構成される、請求項１に記載のＵＥ。
【請求項５】
前記コンピュータ可読命令が、前記少なくとも１つのプロセッサにより実行されたとき、
第４の音声入力に応じて、所定の時間期間にわたり前記会議システムへのアクセスを遅延させる（５３６）
ようにさらに構成される、請求項１に記載のＵＥ。
【請求項６】
前記コンピュータ可読命令が、前記少なくとも１つのプロセッサにより実行されたとき、
第５の音声入力に応じて、前記会議システムへのアクセスを取り消す（５４２）
ようにさらに構成される、請求項１に記載のＵＥ。
【請求項７】
会議システム（１１６）にユーザ装置（ＵＥ）（１０２）を接続するための方法であって、
会議システム（１１６）でホストされる会合（３３２）を記述し、かつ
前記会議システムにアクセスするために使用される少なくとも１つの会議アクセスコードを含む
会合通知を、少なくとも１つのプロセッサを用いて、カレンダアプリケーションから受け取ること（５０２）、
前記会合通知に応じて音声入力をするように前記ユーザを促すこと（５０４）、
前記会議システムの前記会合に参加することを前記ＵＥに示す第１の音声入力を前記ユーザから受け取ること（５０６）、
前記会合に参加するために、前記第１の音声入力に応じて、前記少なくとも１つの会議アクセスコードを自動的に供給すること（５０８）、および
前記会議システムの前記会合に接続すること（５０９）
を含む方法。
【請求項８】
前記ＵＥがサイレントモードに設定されているかどうかを判定すること（５１２）、
前記ＵＥがサイレントモードに設定されているとの判定に応じて、前記会合通知に応じてサイレント入力をするようにユーザを促すユーザインターフェースを表示すること（５１４）、
前記ユーザインターフェースを介して、前記会議システムの会合に参加することを前記ＵＥに示す第１のサイレント入力を前記ユーザから受け取ること（５１６）、および
前記会合に参加するために、前記第１のサイレント入力に応じて、前記少なくとも１つの会議アクセスコードを前記会議システムに自動的に供給すること（５１８）
をさらに含む、請求項７に記載の方法。
【請求項９】
第２の音声入力に応じて、ユーザが要求する連絡先との３者間会議および前記会議システムに接続すること（５２４）
をさらに含む、請求項７に記載の方法。
【請求項１０】
第３の音声入力に応じて、前記会合通知を少なくとも１つのユーザが要求する連絡先に転送すること（５３０）
をさらに含む、請求項７に記載の方法。
【請求項１１】
第４の音声入力に応じて、所定の時間期間にわたり前記会議システムへのアクセスを遅延させること（５３６）
をさらに含む、請求項７に記載の方法。
【請求項１２】
第５の音声入力に応じて、前記会議システムへのアクセスを取り消すこと（５４２）
をさらに含む、請求項７に記載の方法。
【請求項１３】
少なくとも１つのプロセッサ（２０２）により実行されたとき、
会議システム（１１６）でホストされる会合（３３２）を記述し、かつ
前記会議システムにアクセスするために使用される少なくとも１つの会議アクセスコードを含む
会合通知をカレンダアプリケーション（３０８）から受け取り（５０２）、
前記会合通知に応じて音声入力をするように前記ユーザを促し（５０４）、
前記会議システムの前記会合に参加することを前記ＵＥに示す第１の音声入力を前記ユーザから受け取り（５０６）、
前記会合に参加するために、前記第１の音声入力に応じて、前記会合通知からの前記少なくとも１つの会議アクセスコードを前記会議システムに自動的に供給し（５０８）、および
前記会議システムの前記会合に接続する（５０９）
ように構成されたコンピュータ可読命令をさらに含む非一時的なコンピュータ可読記憶媒体（２０６）。
【請求項１４】
前記コンピュータ可読命令が、前記少なくとも１つのプロセッサにより実行されたとき、
前記ＵＥがサイレントモードに設定されているかどうかを判定し（５１２）、
前記ＵＥが前記サイレントモードに設定されているとの判定に応じて、前記会合通知に応じてサイレント入力をするようにユーザを促すユーザインターフェースを表示し（５１４）、
前記ユーザインターフェースを介して、前記会議システムの会合に参加することを前記ＵＥに示す第１のサイレント入力を前記ユーザから受け取り（５１６）、および
前記会合に参加するために、前記第１のサイレント入力に応じて、前記少なくとも１つの会議アクセスコードを前記会議システムに自動的に供給する（５１８）
ようにさらに構成される、請求項１３に記載の非一時的なコンピュータ可読記憶媒体。
【請求項１５】
前記コンピュータ可読命令が、前記少なくとも１つのプロセッサにより実行されたとき、
第２の音声入力に応じて、ユーザが要求する連絡先との３者間会議および前記会議システムに接続する（５２４）
ようにさらに構成される、請求項１３に記載の非一時的なコンピュータ可読記憶媒体。
【請求項１６】
前記コンピュータ可読命令が、前記少なくとも１つのプロセッサにより実行されたとき、
第３の音声入力に応じて、前記会合通知を少なくとも１つのユーザが要求する連絡先に転送する（５３０）
ようにさらに構成される、請求項１３に記載の非一時的なコンピュータ可読記憶媒体。
【請求項１７】
前記コンピュータ可読命令が、前記少なくとも１つのプロセッサにより実行されたとき、
第４の音声入力に応じて、所定の時間期間にわたり前記会議システムへのアクセスを遅延させる（５３６）
ようにさらに構成される、請求項１３に記載の非一時的なコンピュータ可読記憶媒体。
【請求項１８】
前記コンピュータ可読命令が、前記少なくとも１つのプロセッサにより実行されたとき、
第５の音声入力に応じて、前記会議システムへのアクセスを取り消す（５４２）
ようにさらに構成される、請求項１３に記載の非一時的なコンピュータ可読記憶媒体。
【請求項１９】
ユーザ装置（ＵＥ）（１０２）を会議システム（１１６）に接続するためのシステムであって、
請求項１に記載のＵＥと、
会議システム（１１６）とを備え、前記会議システム（１１６）が、
少なくとも１つのプロセッサ（２５２）と、
前記少なくとも１つのプロセッサに結合された非一時的なコンピュータ可読記憶媒体（２５６）とをさらに備え、前記非一時的なコンピュータ可読記憶媒体が、前記少なくとも１つのプロセッサにより実行されたとき、
前記ＵＥから少なくとも１つの会議アクセスコードを受け取り、
前記少なくとも１つの会議アクセスコードに対応する仮想会合（３３２）に前記ＵＥを割り当て、および
前記ＵＥを前記仮想会合に接続する
ように構成されるコンピュータ可読命令をさらに含む、システム。
【発明の詳細な説明】
【技術分野】
【０００１】
本発明は、一般にデータ処理システムに関する。より詳細には、限定するものではないが、本発明は、会議システムにアクセスするためのシステムおよび方法を対象とする。
【背景技術】
【０００２】
仕事では、直接会って話す会合に対する時間および費用効果の高い代替形態として、仮想の会合をホストする会議システムが利用される。仮想会合の前に、会合の出席者は、カレンダプログラムから電子メールメッセージまたは会合のリマインダなどのメッセージにより、電話番号および少なくとも１つのパスコードを受け取る。会合の出席者はまず、会議システムにアクセスするために電話番号をダイヤルし、入力要求されたとき、少なくとも１つのアクセスコードをダイヤルして、そのアクセスコードに対応する特定の仮想会合にアクセスする。
【０００３】
このような会議システムの不利な点は、（１）ユーザは、数多くの桁数（例えば、１０桁の電話番号と８桁のパスコード）を迅速に知る必要のあること、および（２）ユーザは、高い頻度で、電話番号およびパスコードを手動でダイヤルする必要のあることである。ユーザが、数字を忘れる、入れ換える、またはその他の形で誤って入力した場合、ユーザは、全体のダイヤルプロセスをもう一度やり直す必要がある。ユーザが、移動電話を介して会議システムに連絡を取ることを試みる場合、ユーザは、必要な数字の入力に成功するために、電話ダイヤラと、電話番号およびパスコードを含むメッセージとの間を頻繁に切り換える必要がある。
【０００４】
したがって、従来技術の不利な点を克服する会議システムに接続するためのシステムおよび方法を有することは有利なはずである。本発明は、このようなシステムおよび方法を提供する。
【発明の概要】
【０００５】
本発明は、ユーザ装置との最小のユーザ対話で会議システムに接続する利点を含む。このような利点は、ユーザが、その他の形で行う可能性のある会議システム接続を容易にする。さらに本発明は、ユーザが、会議システムによりホストされる会合に参加するために、会議システムアクセス情報を記憶する、または手動で入力する必要がないという利点を提示する。
【０００６】
したがって、一態様では、本発明は、非一時的なコンピュータ可読記憶媒体にさらに結合される少なくとも１つのプロセッサを含むユーザ装置を対象とする。コンピュータ可読媒体はまた、少なくとも１つのプロセッサにより実行されたとき、カレンダアプリケーションから会合通知を受け取るように構成されたコンピュータ可読命令を含み、会合通知は、会議システムでホストされる会合を記述しており、かつ会議システムにアクセスするために使用される少なくとも１つの会議アクセスコードを含む。コンピュータ可読命令は、会合通知に応じて音声入力することをユーザに促すようにさらに構成される。コンピュータ可読命令は、会議システムの会合に参加することをユーザ装置に示す第１の音声入力をユーザから受け取るようにさらに構成される。コンピュータ可読命令は、会合に参加するために、第１の音声入力に応じて、会合通知からの少なくとも１つの会議アクセスコードを自動的に会議システムに供給するようにさらに構成される。コンピュータ可読命令は、会議システムの会合に接続するようにさらに構成される。
【０００７】
他の態様では、本発明は、ユーザ装置を会議システムに接続するための方法を対象とする。会議ダイヤラアプリケーションは、カレンダアプリケーションから会合通知を受け取るが、その場合、会合通知は、会議システムでホストされる会合を記述し、かつ会議システムにアクセスするために使用される少なくとも１つの会議アクセスコードを含む。会議ダイヤラアプリケーションは、会合通知に応じて音声入力するようにユーザを促す。会議ダイヤラアプリケーションは、会議システムの会合に参加することをユーザ装置に示す第１の音声入力をユーザから受け取る。会議ダイヤラアプリケーションは、会合に参加するために、第１の音声入力に応じて、少なくとも１つの会議アクセスコードを自動的に供給する。最後に、会議ダイヤラアプリケーションは、電話ダイヤラアプリケーションを介して、ユーザ装置を会議システムの会合に接続する。
【０００８】
方法はまた、会議ダイヤラアプリケーションが、ユーザ装置はサイレントモードに設定されているかどうかを判定することを含むことができる。また、ユーザ装置がサイレントモードに設定されているという判定に応じて、会議ダイヤラアプリケーションは、会合通知に応じてサイレント入力をするようにユーザを促すユーザインターフェースを表示する。会議ダイヤラは、次いでユーザインターフェースを介して、会議システムの会合に参加することをユーザ装置に示す第１のサイレント入力をユーザから受け取る。第１のサイレント入力に応じて、会合に参加するために、会議ダイヤラアプリケーションは、少なくとも１つの会議アクセスコードを自動的に会議システムに供給する。
【０００９】
方法はまた、会議ダイヤラアプリケーションが、第２の音声入力に応じて、ユーザが要求する連絡先との３者間会議、および会議システムに接続することを含むことができる。
【００１０】
方法はまた、会議ダイヤラアプリケーションが、第３の音声入力に応じて、会合通知を少なくとも１つのユーザが要求する連絡先へ転送することを含むことができる。
【００１１】
方法はまた、会議ダイヤラアプリケーションが、第４の音声入力に応じて、所定の時間期間にわたり、会議システムへのアクセスを遅延させることを含むことができる。
【００１２】
方法はまた、会議ダイヤラアプリケーションが、第５の音声入力に応じて、会議システムへのアクセスを取り消すことを含むことができる。
【００１３】
他の態様では、本発明は、非一時的なコンピュータ可読記憶媒体を対象とする。コンピュータ可読記憶媒体はまた、少なくとも１つのプロセッサにより実行されたとき、カレンダアプリケーションから会合通知を受け取るように構成されたコンピュータ可読命令を含み、会合通知は、会議システムでホストされる会合を記述し、かつ会議システムにアクセスするために使用される少なくとも１つの会議アクセスコードを含む。コンピュータ可読命令は、会合通知に応じて音声入力することをユーザに促すようにさらに構成される。コンピュータ可読命令は、会議システムの会合に参加することをユーザ装置に示す第１の音声入力をユーザから受け取るようにさらに構成される。コンピュータ可読命令は、会合に参加するために、第１の音声入力に応じて会合通知からの少なくとも１つの会議アクセスコードを自動的に会議システムに供給するようにさらに構成される。コンピュータ可読命令は、会議システムの会合に接続するようにさらに構成される。
【００１４】
さらに他の態様では、本発明は、ユーザ装置を会議システムに接続するためのシステムを対象とする。システムは、少なくとも１つのプロセッサを含むユーザ装置を含み、プロセッサは、非一時的なコンピュータ可読記憶媒体にさらに結合される。コンピュータ可読記憶媒体はまた、少なくとも１つのプロセッサにより実行されたとき、カレンダアプリケーションからの会合通知を受け取るように構成されたコンピュータ可読命令を含み、会合通知は、会議システムでホストされる会合を記述しており、かつ会議システムにアクセスするために使用される少なくとも１つの会議アクセスコードを含む。コンピュータ可読命令は、会合通知に応じて音声入力することをユーザに促すようにさらに構成される。コンピュータ可読命令は、会議システムの会合に参加することをユーザ装置に示す第１の音声入力をユーザから受け取るようにさらに構成される。コンピュータ可読命令は、会合に参加するために、第１の音声入力に応じて、会合通知からの少なくとも１つの会議アクセスコードを自動的に会議システムに供給するようにさらに構成される。コンピュータ可読命令は、会議システムの会合に接続するようにさらに構成される。システムはまた、少なくとも１つのプロセッサ、少なくとも１つのプロセッサに結合された非一時的なコンピュータ可読記憶媒体をさらに含む会議システムを含み、非一時的なコンピュータ可読記憶媒体は、少なくとも１つのプロセッサにより実行されたとき、ユーザ装置から少なくとも１つの会議アクセスコードを受け取るように構成されたコンピュータ可読命令をさらに含む。コンピュータ可読命令は、少なくとも１つの会議アクセスコードに対応する仮想会合にユーザ装置を割り当てるようにさらに構成される。コンピュータ可読命令は、ユーザ装置を仮想会合に接続するようにさらに構成される。
【００１５】
以下のセクションで、本発明が、諸図に示された例示的な実施形態を参照して述べられる。
【図面の簡単な説明】
【００１６】
【図１】本発明の実施形態によるユーザ装置（ＵＥ）、ネットワーク、および会議システムの全体的なシステムを示すブロック図である。
【図２Ａ】本発明の実施形態によるＵＥを示すより詳細なブロック図である。
【図２Ｂ】本発明の実施形態による会議システムを示すより詳細なブロック図である。
【図３Ａ】本発明の実施形態による、図２Ａで示すユーザ装置のメモリの内容を示すブロック図である。
【図３Ｂ】本発明の実施形態による、図２Ｂで示す会議システムのメモリの内容を示すブロック図である。
【図３Ｃ】本発明の実施形態による例示的なアポイントメントエントリレコードを示すブロック図である。
【図４】本発明の実施形態によるＵＥのグラフィカルユーザインターフェースを示す図である。
【図５Ａ】本発明の実施形態による会議システムに接続するための方法を示す流れ図である。
【図５Ｂ】本発明の実施形態による会議システムに接続するための方法を示す流れ図である。
【図５Ｃ】本発明の実施形態による会議システムに接続するための方法を示す流れ図である。
【図５Ｄ】本発明の実施形態による会議システムに接続するための方法を示す流れ図である。
【図５Ｅ】本発明の実施形態による会議システムに接続するための方法を示す流れ図である。
【図５Ｆ】本発明の実施形態による会議システムに接続するための方法を示す流れ図である。
【図５Ｇ】本発明の実施形態による会議システムに接続するための方法を示す流れ図である。
【図５Ｈ】本発明の実施形態による会議システムに接続するための方法を示す流れ図である。
【図５Ｉ】本発明の実施形態による会議システムに接続するための方法を示す流れ図である。
【図５Ｊ】本発明の実施形態による会議システムに接続するための方法を示す流れ図である。
【発明を実施するための形態】
【００１７】
本明細書で述べる方法は、任意の適切な通信規格をサポートし、かつ任意の適切な構成要素を用いる、任意の適切なタイプの電気通信システムで実施することができる。述べられる方法の特定の実施形態は、図１で示されたものなどのネットワークで実施することができる。
【００１８】
図１は、本発明の実施形態によるユーザ装置（ＵＥ）、アクセスネットワーク、および会議システムの全体システムを示すブロック図である。システム１００は、これだけに限らないが、ユーザ装置（ＵＥ）１０２ａ〜１０２ｎ、アクセスネットワーク１０６、コアパケット交換（ＰＳ）ネットワーク１１０、コア回線交換（ＣＳ）ネットワーク１１２、公衆交換電話網（ＰＳＴＮ）１１４、および会議システム１１６を含む。
【００１９】
図示のように、ＵＥ１０２ａ〜１０２ｎは、アクセスネットワーク１０４、コアＣＳネットワーク１１２、およびＰＳＴＮ１１４を介して会議システム１１６と通信する。具体的には、ＵＥ１０２ａ〜１０２ｎは、まずアクセスネットワーク１０４の基地局１０６ａ〜１０６ｎの少なくとも１つに接続することにより、会議システム１１６と通信する。基地局コントローラ（ＢＳＣ）１０８により制御される基地局１０６ａ〜１０６ｎは、これだけに限らないが、他のＵＥ、陸線電話、および会議システム１１６などの他のデバイスとの通信を容易にするために、ＵＥ１０２ａ〜１０２ｎからの無線信号を受信し、かつ送信する。基地局１０６ａ〜１０６ｎに結合されたＢＳＣ１０８は、これだけに限らないが、無線チャネルを割り振ること、１つの基地局から他の基地局へのＵＥのハンドオーバ動作を制御すること、および（パケット交換通信のために）コアＰＳネットワーク１１０、および（回線交換通信のために）コアＣＳネットワーク１１２と通信することを含む、アクセスネットワーク１０４における様々なタスクを処理する。
【００２０】
コアＰＳネットワーク１１０は、第２世代（２Ｇ）、第３世代（３Ｇ）、および／または広帯域符号分割多元接続（ＷＣＤＭＡ）移動ネットワークを使用可能にして、インターネットプロトコル（ＩＰ）パケットをインターネットなどの外部ネットワークに送信する。コアＰＳネットワーク１１０はまた、ゲートウェイＧＰＲＳサポートノード（ＧＧＳＮ）、サービングＧＰＲＳサポートノード（ＳＧＳＮ）、および同様のものなどのノード（図示せず）の集合体を含む。コアＣＳネットワーク１１２は、ＵＥ１０２ａ〜１０２ｎが互いに、およびＰＳＴＮ１１４を介して他のデバイス（例えば、陸線電話および会議システム１１６）と通信できるようにする。コアＣＳネットワーク１１２はまた、これだけに限らないが、ホームロケーションレジスタ（ＨＬＲ）、在圏ロケーションレジスタ（ＶＬＲ）、およびモバイル交換センタ（ＭＳＣ）など、ノード（図示せず）の集合体を含む。
【００２１】
前述のノード（例えば、ＢＳＣ１０８、ＧＧＳＮ、ＳＧＳＮ、ＨＬＲ、ＶＬＲ、ＭＳＣなど）のすべて、および任意の他の移動通信ノードが、非一時的なコンピュータ可読媒体上の命令を実行するプロセッサにより提供され得る。システム１００の代替の実施形態は、上記で、もしくは本明細書で述べられる任意の機能、および／または本明細書で述べる方法をサポートするのに必要な任意の機能を含むさらなる機能を提供することを担当するさらなる構成要素を含むことができる。さらに、システム１００の代替実施形態は、会議システム１１６、ＰＳＴＮ１１４、およびコアＣＳネットワーク１１２の間の接続に加えて、または代えて、会議システム１１６とコアＰＳネットワーク１１０の間の接続を含む（図示せず）。
【００２２】
図２Ａは、本発明の実施形態による例示的なＵＥ１０２を示すブロック図である。ＵＥ１０２を使用して、図１と共に論じたＵＥ１０２ａ〜１０２ｎのいずれも実施することができる。図示のように、ＵＥ１０２は、相互接続２０４を介して、メモリ２０６、グラフィックスアダプタ２０８、および送信器／受信器２１０に結合されたプロセッサ２０２ａ〜２０２ｎの集合体を含む。プロセッサ２０２ａ〜２０２ｎは、任意のマイクロプロセッサにより実施することができ、また複数の処理コアを備えたマイクロプロセッサを含むことができる。メモリ２０６は、これだけに限らないが、フラッシュメモリ、ハードディスクドライブ、読出し専用メモリ（ＲＯＭ）、および同様のものなど、任意の非一時的なコンピュータ可読媒体により実施することができる。メモリ２０６は、プロセッサ２０２ａ〜２０２ｎにより実行されたとき、本明細書で述べる方法を実施するように構成されたコンピュータ可読命令をさらに含む。メモリ２０６の内容は、図３Ａと共にさらに論ずる。
【００２３】
図２Ａをさらに参照すると、ＵＥ１０２は、グラフィックスアダプタ２０８と、アンテナ２１２にさらに結合された送信器／受信器２１０とをさらに含む。グラフィックスアダプタ２０８は、ＵＥに、テキストおよびグラフィックスをディスプレイ上で表示できるようにし、ＵＥとのユーザ対話を可能にする。例えば、グラフィックスアダプタ２０８は、プロセッサ２０２ａ〜２０２ｎ、およびメモリ２０６に記憶されたコンピュータ可読命令と併せて、ＵＥ１０２に、ユーザインターフェース３００（図３）および／または図４と共にさらに詳細に論ずるグラフィカルユーザインターフェース４００など、グラフィカルユーザインターフェースを表示できるようにする。アンテナ２１２を介する送信器／受信器２１０は、ＵＥ１０２に、アクセスネットワーク１０４（図１）の基地局１０６ａ〜１０６ｎ（図１）など、アクセスネットワークにおける基地局と通信できるようにする。本発明の代替実施形態は、本明細書で述べる任意の機能、および／または本明細書で述べる解決策をサポートするのに必要な任意の機能を含むさらなる機能を提供することを担当するさらなる構成要素を含むことができる。
【００２４】
図２Ｂは、本発明の実施形態による例示的な会議システム１１６を示すブロック図である。図示のように、会議システム１１６は、相互接続２５４を介してメモリ２５６に結合されたプロセッサ２５２ａ〜２５２ｎの集合体を含む。プロセッサ２５２ａ〜２５２ｎは、任意のマイクロプロセッサにより実施することができ、また複数の処理コアを備えるマイクロプロセッサを含むことができる。メモリ２５６は、これだけに限らないが、フラッシュメモリ、ハードディスクドライブ、読出し専用メモリ（ＲＯＭ）、および同様のものなどの任意の非一時的なコンピュータ可読媒体により実施することができる。メモリ２５６の内容は、図３Ｂと共にさらに論ずる。
【００２５】
図２Ｂをさらに参照すると、会議システム１１６は、グラフィックスアダプタ２５８およびネットワークアダプタ２６０をさらに含む。グラフィックスアダプタ２５８は、会議システムに、テキストおよびグラフィックスをディスプレイ上に表示させることができ、会議システム１１６とのオペレータ対話を可能にする。ネットワークアダプタ２６０は、会議システム１１６に、ＰＳＴＮ１１４（図１）および／またはインターネットなどの外部ネットワークとの通信を可能にする。本発明の代替実施形態は、本明細書で述べる任意の機能、および／または本明細書で述べる解決策をサポートするのに必要な任意の機能を含むさらなる機能を提供することを担当するさらなる構成要素を含むことができる。
【００２６】
図３Ａは、本発明の実施形態によるＵＥメモリの内容をより詳細に示すブロック図である。前に論じたように、ＵＥ１０２（図２）のメモリ２０６（図２）は、コンピュータ可読命令を含む。これらのコンピュータ可読命令は、プロセッサにより実行されたとき、本明細書で述べる方法を実施する、ならびにＵＥ１０２の他の機能を提供するように構成される。図示のように、メモリ２０６は、ユーザインターフェース３０２およびカーネル３０４をさらに含むオペレーティングシステム（ＯＳ）３００を含む。ユーザインターフェース３０２は、アプリケーションプログラム３０６などの資源への透過的なユーザアクセスを提供する。概して、ユーザインターフェース３０２は、ユーザにより入力されたユーザコマンドを解釈し、かつ解釈されたコマンド（複数可）を、処理のためにオペレーティングシステムの適切な下位レベル（例えば、カーネル３０４）に送るプログラムである。本発明の実施形態は、ユーザに、これだけに限らないが、キーボード、音声インターフェース、およびジェスチャインターフェースなどの任意のタイプのインターフェースを用いて、ユーザコマンドを入力できるようにする。ユーザインターフェース３０２の例は、グラフィカルユーザインターフェース４００であり、図４と併せて本明細書でより詳細に論ずる。
【００２７】
図示のように、ＯＳ３００はまたカーネル３０４を含み、カーネル３０４は、これだけに限らないが、メモリ管理、プロセスおよびタスク管理、ディスク管理、ならびにユーザインターフェース管理を含む、ＯＳ３００およびアプリケーションプログラム３０６の他の部分が必要とする本質的なサービスを提供することを含む、ＯＳ３００に関する機能のうちの下位レベルのものを含む。アプリケーションプログラム３０６は、カレンダアプリケーション３０８、会議ダイヤラアプリケーション３１０、電話ダイヤラアプリケーション３１２、およびこれだけに限らないが、ユーティリティ、ゲーム、生産性、ソーシャルメディア、またはナビゲーションアプリケーションを含む他のアプリケーション３１４を含むことができる。さらにメモリ２０６は、アプリケーションプログラム３０６の動作中に記憶されたデータおよびアクセスされたデータを含むデータベース３１６を含む。本明細書でより詳細に論ずるように、データベース３１６は、カレンダアプリケーション３０８によりアクセスされるカレンダ、アポイントメント、および連絡先リストエントリを含む。
【００２８】
カレンダアプリケーション３０８は、ユーザにカレンダの電子版を提供し、かつアポイントメントブック、アドレスブック、または連絡先リストなどのさらなる機能を提供することができる。カレンダアプリケーション３０８は、個々の使用に向けて設計されたスタンドアロンのアプリケーションとして実施することができる。スタンドアロンの実装形態では、アポイントメントおよび重要な日付の経過を追うために、単一のユーザが、カレンダおよび／またはアポイントメントエントリを閲覧し、追加し、かつ削除する。カレンダアプリケーション３０８はまた、複数のユーザ間で情報を共用することが可能になるネットワーク化されたアプリケーションとして実施することもできる。ネットワーク化されたカレンダアプリケーションの例は、Ｍｉｃｒｏｓｏｆｔ  Ｃｏｒｐｏｒａｔｉｏｎ（マイクロソフト社）、Ｒｅｄｍｏｎｄ、Ｗａｓｈｉｎｇｔｏｎの製品であるＥｘｃｈａｎｇｅ  Ｓｅｒｖｅｒを備えたＭｉｃｒｏｓｏｆｔ  Ｏｕｔｌｏｏｋである。ネットワーク化アプリケーションとして実施されたとき、個々のユーザがカレンダおよび／またはアポイントメントエントリを閲覧し、追加し、かつ削除できるだけではなく、異なるデバイスを使用する他のユーザが、個々のユーザのためのこのようなエントリを閲覧し、追加し、かつ削除することもできる。図３Ｃは、カレンダアプリケーション３０８内で、閲覧し、追加し、または削除できる例示的なアポイントメントエントリを示している。
【００２９】
本発明の実施形態によれば、カレンダアプリケーション３０８（図３Ａ）により使用されるアポイントメントエントリは、複数のフィールドを含むレコードデータ構造により実施することができる。アポイントメントエントリの集合体は、レコードの配列により実施することができる。図３Ｃで示すように、アポイントメントエントリ３５０は、アポイントメントタイトルフィールド３５２、アポイントメント時間フィールド３５４、アポイントメント記述フィールド３５６、会議システム電話番号フィールド３５８、および会議システムパスコードフィールド３６０を含む。
【００３０】
アポイントメントタイトルフィールド３５２は、特定のアポイントメントのタイトルに関する情報を含む。例えば、クライアントとの会議は、「クライアントＸとの遠隔会議」としてアポイントメントタイトルフィールド３５２にリストアップすることができる。アポイントメント時間フィールド３５４は、特定のアポイントメントの指定された時間、および／または持続期間に関する情報を含む。例えば、上記で述べた「クライアントＸとの遠隔会議」は、「９：００ＡＭから１０：００ＡＭ」としてアポイントメント時間フィールド３５４にスケジュールされ、かつ記録され得る。アポイントメント記述フィールド３５６は、前述の遠隔会議の例では、議題の短いリストなど、ユーザがアポイントメントエントリに含めることを望む任意のさらなる情報を含む。アポイントメントが、会議システム（例えば、図１の会議システム１１６）のユーザを必要とする電話会議である場合、アポイントメントエントリ３５０はまた、会議システム電話番号フィールド３５８、および会議システムパスコードフィールド３６０にそれぞれ記憶される会議の電話番号およびパスコードを含むことができる。本発明の実施形態によれば、会議システム電話番号は、１０桁の番号（国番号、エリアコード、および７桁の電話番号、例えば、＋１−５５５−５５５−５５５５）で実施され、また会議システムのパスコードは、後にナンバー（「＃」）記号が続く８桁の番号として実施される。当然であるが、本発明は、番号、文字、および／または記号、画像、または任意の他の種類の一意の識別情報の任意の組合せによる会議システム電話番号および会議システムパスコードの実施を企図している。
【００３１】
当然であるが、アポイントメントエントリ３５０は、前述のフィールドに限定されず、他のタイプの情報に関する他のフィールドを含むこともできる。このような他のフィールドは、本発明を理解する上で適切なものではないため、さらに説明または論じないものとする。
【００３２】
本発明の実施形態によれば、カレンダアプリケーション３０８はまた、スケジュールされたアポイントメントの時点で（および／またはその前もしくは後の所定の時間期間に）、通知メッセージを送ることをサポートする。例えば、前の「クライアントＸとの遠隔会議」アポイントメントの例を参照すると、ユーザは、アポイントメント時間フィールド３５４にリストアップされた時間の５分前に、その時間に、およびその５分後に、通知メッセージを用いてアポイントメントを思い出させるように要求することができる。通知メッセージは、カレンダアプリケーション３０８と、会議ダイヤラアプリケーション３１０などの他のアプリケーションとの間で送られる可聴の、もしくは視覚的な警告またはメッセージとして実施することができる。本発明の実施形態によれば、通知メッセージは、会議システム電話番号フィールド３５８および会議システムパスコードフィールド３６０に含まれる情報など、アポイントメントエントリ３５０の複数フィールドに位置する情報を含むことができる。
【００３３】
本発明の実施形態によれば、会議ダイヤラアプリケーション３１０は、カレンダアプリケーション３０８から会合通知を受け取る。会合通知は、会議システム（例えば、図１の会議システム１１６）でホストされる会合を記述しており、さらに会議システムにアクセスするために使用される少なくとも１つの会議アクセスコードも含む。本発明の実施形態によれば、少なくとも１つの会議アクセスコードは、電話番号およびパスコードとすることができる。会合通知を受け取ると、会議ダイヤラアプリケーション３１０は、ユーザに音声入力をするように促す。会議ダイヤラアプリケーション３１０は、ユーザインターフェース３０２およびカーネル３０４を介して、会議システムの会合に参加する希望を示す第１の音声入力をユーザから受け取る。第１の音声入力に応じて、会議ダイヤラアプリケーション３１０は、会議システムの会合に参加するために、電話ダイヤラアプリケーション３１２を介して、会議システムの会議システムマネジャに電話番号およびパスコードを自動的に供給する。
【００３４】
図３Ｂは、本発明の実施形態による会議システムメモリの内容をより詳細に示すブロック図である。前に論じたように、会議システム１１６（図２Ｂ）のメモリ２５６（図２Ｂ）は、プロセッサにより実行されたとき、本明細書で述べる解決策をサポートし、ならびに会議システム１１６に対する他の機能を提供するように構成されたコンピュータ可読命令を含む。図示のように、メモリ２５６は、ユーザインターフェース３２２およびカーネル３２４をさらに含むオペレーティングシステム（ＯＳ）３２０を含む。ユーザインターフェース３２２は、アプリケーションプログラム３２６などの資源への透過性のあるオペレータアクセスを提供する。概してユーザインターフェース３２２は、オペレータにより入力されたオペレータコマンドを解釈し、かつ解釈されたコマンド（複数可）を処理のため、ＯＳの適切な下位レベル（例えば、カーネル３２４）に送るプログラムである。本発明の実施形態は、オペレータに、これだけに限らないが、キーボード、音声インターフェース、およびジェスチャインターフェースなど、任意のタイプのインターフェースを使用してオペレータコマンドを入力できるようにする。
【００３５】
図示のように、ＯＳ３００はまた、カーネル３０４を含み、カーネル３０４は、これだけに限らないが、メモリ管理、プロセスおよびタスク管理、ディスク管理、ならびにユーザインターフェース管理を含む、ＯＳ３００およびアプリケーションプログラム３０６の他の部分が必要とする本質的なサービスを提供することを含む、ＯＳ３００に関する機能のうちの下位レベルのものを含む。アプリケーションプログラム３２６は、仮想会合３３２ａ〜３３２ｎの集合体へのアクセスを管理し、かつ制御する会議システムマネジャ３２８と、これだけに限らないが、ユーティリティおよび他の管理アプリケーションを含むことのできる他のアプリケーション３３０とを含むことができる。さらにメモリ２５６は、アプリケーションプログラム３２６の動作中に記憶されたデータおよびアクセスされたデータを含むデータベース３３４を含む。
【００３６】
本発明の実施形態によれば、会議システムマネジャ３２８は、ＰＳＴＮ１１４（図１）および／またはインターネットなどのネットワークとのインターフェースを取り、複数のユーザ間で仮想会合（例えば、会合３３２ａ〜３３２ｎ）を調整する。仮想会合を開始するために、ＵＥ（例えば、図１のＵＥ１０２ａ〜１０２ｎ）は、会議システム１１６に関連する電話番号をダイヤルする。ＵＥが接続された後、会議システムマネジャ３２８は、任意選択で、ＵＥを促して会議システムパスコードを求める。会議システムパスコードを受け取ると、会議システムマネジャ３２８は、ＵＥを、受け取った会議システムパスコードに対応する、会合３３２ａ〜３３２ｎのうちの１つに割り当てる。会議システムマネジャ３２８はまた、任意選択で、例えば、会議のスケジューリングなどの他のタスクを実施すること、「司会者」として指定されたユーザに対してさらなる仮想会合機能を提供すること、および同様のものなどを行うことができる。
【００３７】
図４は、本発明の実施形態によるＵＥのグラフィカルユーザインターフェースを示している。グラフィカルユーザインターフェース（ＧＵＩ）４００（ＵＥのユーザインターフェース３０２（図３Ａ）を実施するために使用できる）は、アイコン４０２、４０４、４０６、および４０８の集合体、ならびにメニュー画面４１０を含む。アイコン４０２、４０４、４０６、および４０８は、選択されたとき、ユーザに、関連するアプリケーションを起動できるようにする。例えば、電話アイコン４０２を選択することにより、ユーザは、電話ダイヤラアプリケーション（例えば、図３Ａの電話ダイヤラアプリケーション３１２）を起動することができる。ＳＭＳアイコン４０４を選択することにより、ユーザは、ＳＭＳおよびマルチメディアメッセージングサービス（ＭＭＳ）メッセージを表示し、送信し、かつ受信することを容易にするショートメッセージサービス（ＳＭＳ）アプリケーションを起動することができる。電子メールアイコン４０６を選択することにより、ユーザは、電子メールアプリケーションを起動することができる。電子メールアプリケーションは、ユーザに、電子メールメッセージを閲覧し、作成し、送信し、かつ受信できるようにする。ウェブアイコン４０８を選択することにより、ユーザに、ワールドワイドウェブ（ＷＷＷ）ブラウザアプリケーション（例えば、Ｍｉｃｒｏｓｏｆｔ  Ｃｏｒｐｏｒａｔｉｏｎ（マイクロソフト社）、Ｒｅｄｍｏｎｄ、ＷａｓｈｉｎｇｔｏｎによるＭｉｃｒｏｓｏｆｔ  Ｉｎｔｅｒｎｅｔ  Ｅｘｐｌｏｒｅｒ）を起動できるようにする。ブラウザアプリケーションは、ユーザに、ワールドワイドウェブ上に記憶された情報にアクセスできるようにする。
【００３８】
メニュー画面４１０は、ユーザに、会議システム（例えば、図１の会議システム１１６）と対話するための選択肢の集合体の中から選択できるようにする。本発明の実施形態によれば、メニュー画面４１０は、図５Ａ〜図５Ｊと共により詳細に本明細書で論ずるように、音声入力に代えて、会議ダイヤラアプリケーション（例えば、図３の会議ダイヤラアプリケーション３１０）と対話するためにユーザにより使用される。
【００３９】
図５Ａ〜図５Ｊは、本発明の実施形態による会議システムにデバイスを接続するための方法を示す流れ図である。本発明の実施形態によれば、デバイスは、移動電話（例えば、図２のユーザ装置１０２）などのユーザ装置、またはコンピュータなどの他の任意のタイプのデバイスとすることができる。例示的なユーザ装置は、プロセッサ（例えば、図２のプロセッサ２０２ａ）により実行されたとき、図５Ａ〜図５Ｊと共に論ずるステップを実施するように構成されたコンピュータ可読命令をさらに含むメモリ（例えば、図２のメモリ２０６）を含む。
【００４０】
以下で論ずるように、第１の音声入力、第２の音声入力、第３の音声入力、第４の音声入力、および第５の音声入力は、ユーザがユーザ装置に提供できる様々なタイプの音声入力である。ユーザ装置は、様々なタイプの音声入力に応じて、様々な機能（以下で論ずる）を提供する。同様に、第１のサイレント入力、第２のサイレント入力、第３のサイレント入力、第４のサイレント入力、および第５のサイレント入力は、ユーザが、例えば、図４のメニュー画面４１０を介してユーザ装置に提供できる様々なタイプのサイレント入力である。ユーザ装置は、様々なタイプのサイレント入力に応じて、様々な機能（以下で論ずる）を提供する。
【００４１】
図５Ａを参照すると、プロセスはステップ５００で開始し、ステップ５０２に進み、ステップ５０２では、会議ダイヤラアプリケーション（例えば、図３Ａの会議ダイヤラアプリケーション３１０）が、カレンダアプリケーション（例えば、図３Ａのカレンダアプリケーション３０８）から送られた会合通知を受け取ることが示されている。会合通知は、会議システム電話番号および／または会議システムパスコードなど、アポイントメントエントリ（例えば、図３Ｃのアポイントメントエントリ３５０）の複数のフィールドに含まれる情報のすべて、またはいくつかを含む通知メッセージとして実施することができる。
【００４２】
プロセスは、次いで結合子Ａに進み、結合子Ａは、図５Ｂのステップ５１２へと進む。図５Ｂを参照すると、会議ダイヤラアプリケーションは、会議ダイヤラアプリケーションを実行するユーザ装置が、「サイレント」モードに設定されているかどうかを判定する。本発明の実施形態によれば、ユーザ装置は、ユーザのプリファレンスに応じて異なるモードに設定することができる。例えば、ユーザが自宅におり、ユーザ装置が別の部屋に残されている場合、ユーザは、到来する電話呼出し、ＳＭＳもしくは電子メールメッセージ、またはユーザ装置の他のアプリケーションからの通知が可聴的に通知され得る「可聴」モードにユーザ装置を設定することを望む可能性がある。しかし、ユーザが仕事の会合中である、映画館にいる、またはその他の形で可聴的に通知されることを望まない場合、ユーザは、ユーザ装置を「サイレント」モードに設定することができ、その場合、到来する電話呼出し、ＳＭＳもしくは電子メールメッセージ、またはユーザ装置上の他のアプリケーションからの通知が生じた場合に、可聴の警告が出されることはない。
【００４３】
会議ダイヤラアプリケーションが、ユーザ装置が「サイレント」モードに設定されていないと判定した場合、プロセスは、図５Ａのステップ５０４に進む。図５Ａに戻って参照すると、ステップ５０４は、会議ダイヤラアプリケーションが、会合通知に応じて音声入力するようにユーザを促すことを示している。プロセスは、次いで結合子Ｂに進む。会議ダイヤラアプリケーションが、会合通知に対応する会合に参加することをＵＥに示す第１の音声入力（例えば、ユーザが「会合に参加する」と述べるなど）をユーザから受け取った場合（ステップ５０６）、会議ダイヤラアプリケーションは、会合に参加するために、会合通知からの少なくとも１つの会議コードを電話ダイヤラアプリケーション（例えば、図３Ａの電話ダイヤラアプリケーション３１２）に自動的に供給する。本発明の実施形態によれば、少なくとも１つの会議コードは、会合通知に含まれている会議システム電話番号および／または会議システムパスコードとすることができる。プロセスは、ステップ５０９に進み、ＵＥは、会議システムの会合に接続される。電話ダイヤラアプリケーションは、ユーザ対話を行うことなく、会議システム電話番号および／または会議システムパスコードを会議システムマネジャ（例えば、会議システムマネジャ３２８（図３Ｂ））に供給する。会議システムマネジャは、受け取った会議システムパスコードに対応する仮想会合（例えば、会合３３２ａ〜３３２ｎ）にユーザ装置を割り当て、かつ会合にユーザ装置を接続する。プロセスは、次いで、ステップ５１０で示すように終了する。
【００４４】
結合子Ｂに戻り、図５Ｃを参照すると、会議ダイヤラアプリケーションが、ユーザから第２の音声入力（例えば、ユーザが「会合に参加し、ジョンとの３者間会議を開始する」と述べるなど）（ステップ５２２）を受け取った場合、会議ダイヤラアプリケーションは、ユーザが要求した連絡先との３者間会議に接続し、さらに会議システムの会議に接続する（ステップ５２４）。本発明の実施形態によれば、会議ダイヤラアプリケーションは、会合に参加するために、会合通知からの少なくとも１つの会議コードを電話ダイヤラアプリケーション（例えば、図３Ａの電話ダイヤラアプリケーション３１２）に自動的に供給する。会議ダイヤラアプリケーションはまた、ユーザが要求した連絡先との３者間会議に接続するために、ユーザが要求した連絡先に関する連絡先情報を電話ダイヤラアプリケーションに供給する。少なくとも１つの会議コードは、会合通知に含まれている会議システム電話番号および／または会議システムパスコードとすることができる。電話ダイヤラアプリケーションは、ユーザ対話を行うことなく、会議システム電話番号および／または会議システムパスコードを会議システムマネジャ（例えば、図３Ｂの会議システムマネジャ３２８）に供給する。会議システムマネジャは、ユーザ装置を、受け取った会議システムパスコードに対応する仮想会合（例えば、会合３３２ａ〜３３２ｎ）に割り当て、ユーザ装置を会合に接続する。電話ダイヤラはまた、ユーザが要求した連絡先との３者間会議に接続する。プロセスは、次いで、ステップ５２６で示すように終了する。
【００４５】
結合子Ｂに戻り、図５Ｄを参照すると、会議ダイヤラアプリケーションが、ユーザから第３の音声入力（例えば、ユーザが「会合情報をジョンに転送すること」と述べるなど）を受け取った場合（ステップ５２８）、会議ダイヤラアプリケーションは、会合通知をユーザが要求する連絡先に転送するために、ＳＭＳアプリケーション、電子メールアプリケーション、および同様のものなどの通信アプリケーションに、会合通知を、ユーザが要求する連絡先を備えた連絡先情報と共に送る。通信アプリケーションは、次いでユーザが要求する連絡先に会合通知を転送する（ステップ５３０）。プロセスは、次いで、５３２で示すように終了する。
【００４６】
結合子Ｂに戻り、図５Ｅを参照すると、会議ダイヤラアプリケーションが、ユーザから、第４の音声入力（例えば、ユーザが「５分間、会合への接続を遅延させること」と述べるなど）を受け取った場合（ステップ５３４）、会議ダイヤラアプリケーションは、所定の時間期間にわたり会議システムへの接続を遅延させることになる（ステップ５３６）。所定の時間期間の終了後、プロセスは結合子Ａ（図５Ａ）に戻り、次いで上記で述べるようにステップ５０４に進む。
【００４７】
結合子Ｂに戻り、図５Ｆを参照すると、会議ダイヤラアプリケーションが、ユーザから第５の音声入力（例えば、ユーザが「会合を取り消す」と述べるなど）を受け取った場合（ステップ５４０）、会議ダイヤラアプリケーションは、会議システムへのアクセスを取り消すことになる（ステップ５４２）。プロセスは、次いで、ステップ５４４で示すように終了する。
【００４８】
ステップ５１２および図５Ｂに戻ると、会議ダイヤラアプリケーションが、ユーザ装置は「サイレント」モードに設定されていると判定した場合、プロセスは、ステップ５１４に進む。ステップ５１４は、会議ダイヤラアプリケーションが、会合通知に応じて、ユーザに、サイレント入力を促すユーザインターフェース（例えば、図４のメニュー画面４１０）を表示することを示している。プロセスは、次いで結合子Ｃに進む。会議ダイヤラアプリケーションが、ユーザインターフェースを介して、会議システムの会合に参加することをＵＥに示す第１のサイレント入力（例えば、ユーザが、図４のメニュー場面４１０の選択肢１を選択するなど）をユーザから受け取った場合（ステップ５１６）、会議ダイヤラアプリケーションは、会合に参加するために、会合通知からの少なくとも１つの会議コードを電話ダイヤラアプリケーション（例えば、図３Ａの電話ダイヤラアプリケーション３１２）に自動的に供給する。電話ダイヤラアプリケーションは、ユーザ対話を行うことなく、会議システム電話番号および／または会議システムパスコードを会議システムマネジャ（例えば、図３Ｂの会議システムマネジャ３２８）に供給する。会議システムマネジャは、ユーザ装置を、受け取った会議システムパスコードに対応する仮想会合（例えば、会合３３２ａ〜３３２ｎ）に割り当て、かつユーザ装置を会合に接続する（ステップ５１９）。プロセスは、次いで、ステップ５２０で示すように終了する。
【００４９】
結合子Ｃへ戻り、図５Ｇを参照すると、会議ダイヤラアプリケーションが、ユーザから第２のサイレント入力（例えば、ユーザが、図４のメニュー画面４１０の選択肢２を選択し、かつユーザが要求する連絡先を指定するなど）を受け取った場合（ステップ５４６）、会議ダイヤラアプリケーションは、ユーザが要求する連絡先との３者間会議に接続し、さらに会議システムの会合に接続する（ステップ５４８）。本発明の実施形態によれば、会議ダイヤラアプリケーションは、会合に参加するために、会合通知からの少なくとも１つの会議コードを電話ダイヤラアプリケーション（例えば、図３Ａの電話ダイヤラアプリケーション３１２）に自動的に供給する。会議ダイヤラアプリケーションはまた、ユーザが要求する連絡先との３者間会議に接続するために、ユーザが要求する連絡先に関する連絡先情報を電話ダイヤラアプリケーションに供給する。少なくとも１つの会議コードは、会合通知に含まれている会議システム電話番号および／または会議システムパスコードとすることができる。電話ダイヤラアプリケーションは、ユーザ対話を行うことなく、会議システム電話番号および／または会議システムパスコードを会議システムマネジャ（例えば、図３Ｂの会議システムマネジャ３２８）に供給する。会議システムマネジャは、ユーザ装置を、受け取った会議システムパスコードに対応する仮想会合（例えば、会合３３２ａ〜３３２ｎ）に割り当て、かつユーザ装置を会合に接続する。電話ダイヤラはまた、ユーザが要求する連絡先との３者間会議に接続する（ステップ５４８）。プロセスは、次いで、ステップ５５０で示すように終了する。
【００５０】
結合子Ｃに戻り、図５Ｈを参照すると、会議ダイヤラアプリケーションが、ユーザから第３のサイレント入力（例えば、ユーザが、図４のメニュー画面４１０の選択肢３を選択する）を受け取った場合（ステップ５５２）、会議ダイヤラアプリケーションは、ユーザが要求する連絡先に会合通知を転送するために、ＳＭＳアプリケーション、電子メールアプリケーション、および同様のものなどの通信アプリケーションに、ユーザが要求する連絡先を有する連絡先情報と共に会合通知を送る。通信アプリケーションは、次いで会合通知をユーザが要求する連絡先に転送する（ステップ５５４）。プロセスは、次いで、ステップ５５６で示すように終了する。
【００５１】
結合子Ｃに戻り、図５Ｉを参照すると、会議ダイヤラアプリケーションが、ユーザから第４の音声入力（例えば、ユーザが、図４のメニュー画面４１０の選択肢４を選択する）を受け取った場合（ステップ５５８）、会議ダイヤラアプリケーションは、所定の時間期間にわたり会議システムへの接続を遅延させることになる（ステップ５６０）。所定の時間期間が終了した後、プロセスは、結合子Ａ（図５Ａ）に戻り、上記で述べたようにステップ５０４に再度進む。
【００５２】
結合子Ｃに戻り、図５Ｊを参照すると、会議ダイヤラアプリケーションが、ユーザから第５のサイレント入力（例えば、ユーザが、図４のメニュー画面４１０の選択肢５を選択する）を受け取った場合（ステップ５６４）、会議ダイヤラアプリケーションは、会議システムへのアクセスを取り消す（ステップ５６６）。プロセスは、次いで、ステップ５６８で示すように終了する。
【００５３】
当業者であれば理解されるように、本出願で述べられた革新的な概念は、広範囲な用途に対して修正し、かつ変更することができる。したがって、特許請求される主題の範囲は、上記で論じた特定の例示的な教示のいずれかに限定されるべきではなく、添付の特許請求の範囲により定義される。
【図１】
2016503634.tif 000003
【図２Ａ】
2016503634.tif 000004
【図２Ｂ】
2016503634.tif 000005
【図３Ａ】
2016503634.tif 000006
【図３Ｂ】
2016503634.tif 000007
【図３Ｃ】
2016503634.tif 000008
【図４】
2016503634.tif 000009
【図５Ａ】
2016503634.tif 000010
【図５Ｂ】
2016503634.tif 000011
【図５Ｃ】
2016503634.tif 000012
【図５Ｄ】
2016503634.tif 000013
【図５Ｅ】
2016503634.tif 000014
【図５Ｆ】
2016503634.tif 000015
【図５Ｇ】
2016503634.tif 000016
【図５Ｈ】
2016503634.tif 000017
【図５Ｉ】
2016503634.tif 000018
【図５Ｊ】
2016503634.tif 000019
【国際調査報告】
2016503634.tif 000020
2016503634.tif 000021